(57)【要約】      （修正有）【課題】液晶パネルやディスプレイパネルなどのディスプレイ平面体を取扱うさいに使用する保護枠であって、厚紙を使用し安価且つ簡便に作成できるものとなし、また再利用を可能にする。【解決手段】凹字状の合紙板２の両側端縁箇所で、一定長さ寸法に突出形成した鍔片の間隙ｐに対し短冊状合紙板３の中央部突出片ｎを嵌入させる。このさい組合せ使用する凹状合紙板２と短冊状合紙板３とは、共に一定大きさの母材から凡そロスのないように効率良く型取り裁断する。またこれらの重ね合わせ貼着を手作業は勿論のこと、機械的作業でも容易に行えることから、安価且つ大量生産可能になる。【選択図】図４
0003117311.tif 000002
【実用新案登録請求の範囲】
【請求項１】
巾寸法が３ｃｍ〜７ｃｍ、肉厚寸法が１ｍｍ〜２ｍｍで且つ一定長さ寸法の単一板紙部材と、同長さ寸法で両側端の直角方向へ一定長の突出した鍔片により凹字状に形成される単一板紙部材を作成し、前者を後者でサンドイッチ状に重ね合わせて凹字状の突出鍔片箇所に一定寸法の間隙が形成される凹状合紙板を作成し、他方同じく巾寸法が３ｃｍ〜７ｃｍ、肉厚寸法が１ｍｍ〜２ｍｍで且つ一定長さ寸法の単一板紙部材と、これより少し長さ寸法を大ならしめた単一板紙部材を作成し、前者で後者をサンドイッチ状に重ね合わせることにより中央の両側端が一定長の突片に形成される短冊状合紙板を作成し、該短冊状合紙板の突片箇所を前記凹状合紙板に於ける鍔片箇所の間隙内へ嵌着させることにより、液晶パネルやプラズマテレビなどディスプレイ平面体の縁端保護枠となるよう組合せ使用することを特徴とした組合せ使用の紙製保護枠。
【請求項２】
凹字状の単一板紙部材の長さ寸法は５０ｃｍ〜２５０ｃｍ、鍔片の長さ寸法は５ｃｍ〜１５ｃｍとなしたことを特徴とする請求項１記載の組合せ使用の紙製保護枠。
【請求項３】
再生紙により作成されることを特徴とした請求項１又は２記載の組合せ使用の紙製保護枠。
【考案の詳細な説明】
【技術分野】
【０００１】
本考案は、液晶パネルやプラズマテレビなどのディスプレイ平面体に於ける緩衝防止のための組合せ使用の紙製保護枠に関するものである。
【背景技術】
【０００２】
従来、液晶パネルやプラズマテレビのディスプレイパネルなどの平面体を保護するには、段ボール製厚板紙を使用しその中央部を適宜大きさの四角形に型抜きした方形枠を作成したものを前後間に介装させることにより、保管時や運搬時に起こる損傷や欠損を防止することが行われている。
【特許文献１】特開２００１−２２５８８９
【考案の開示】
【考案が解決しようとする課題】
【０００３】
上記段ボール製の方形枠は、その製作に際して夫々れの大きさ寸法で型抜きの作業を行わなければならず、この作業は多大な手間が掛かるものとなっている。また型抜きされた内方の厚板紙は、専ら廃棄処分されるものとなるため、無駄な損失によるコスト高の原因をなしていた。
【０００４】
近年、パソコンやプラズマテレビなど急速な普及により液晶パネルやディスプレイパネル用の平面体の製造が増加し、それに伴い平面体の保管や運搬時に於いて緩衝防止のための保護枠が必要不可欠なものとなり、またその生産に際してもコストを削減できるものが要望されるものとなっている。
【０００５】
本考案は上記問題を解決するべく、液晶パネルやディスプレイパネルなどのディスプレイ平面体を損傷することなく安全且つ迅速に保管や運搬ができ、また生産コストも大幅に削減できる紙製保護枠を市販に供せんとするものである。
【課題を解決するための手段】
【０００６】
本考案は巾寸法が３ｃｍ〜７ｃｍ、肉厚寸法が１ｍｍ〜２ｍｍで且つ一定長さ寸法の単一板紙部材と、同長さ寸法で両側端の直角方向へ一定長の突出した鍔片により凹字状に形成される単一板紙部材を作成し、前者を後者でサンドイッチ状に重ね合わせて凹字状の突出鍔片箇所に一定寸法の間隙が形成される凹状合紙板を作成し、他方同じく巾寸法が３ｃｍ〜７ｃｍ、肉厚寸法が１ｍｍ〜２ｍｍで且つ一定長さ寸法の単一板紙部材と、これより少し長さ寸法を大ならしめた単一板紙部材を作成し、前者で後者をサンドイッチ状に重ね合わせることにより中央の両側端が一定長の突片に形成される短冊状合紙板を作成し、該短冊状合紙板の突片箇所を前記凹状合紙板に於ける鍔片箇所の間隙内へ嵌着させることにより、液晶パネルやプラズマテレビなどディスプレイ平面体の縁端保護枠となるよう組合せ使用するものである。
【０００７】
このさい、凹字状の単一板紙部材の長さ寸法は５０ｃｍ〜２５０ｃｍ、鍔片の長さ寸法は５ｃｍ〜１５ｃｍとなされるのであり、また短冊状の単一板紙部材の長さ寸法は２０ｃｍ〜２２０ｃｍとなされるのである。なお、使用する板紙部材は専ら再生紙を使用することにより、コストの低減化を図るのである。
【考案の効果】
【０００８】
本考案は、液晶パネルやプラズマテレビなどディスプレイ平面体の保管や運搬のさい、上記平面体の前後間へ当接させ、緩衝材として作用させるのであり、このさい方形枠を凹状合紙板と短冊状合紙板との組合せ使用で簡単に作成することができるのであり、且つ上記各合紙板の作成にさいしては母材から殆どロスを生じさせない型取り裁断が可能なためコストの低減化に寄与すること大ならしめるものである。
【０００９】
本考案で角部に一定長の突出した鍔片を形成した凹状合紙板の一対を使用することは、保護せんとする平面板に於ける重要な隅角部を、とりわけ安定的に当接保持することを可能にするものとなる。なお、本考案の保護枠は紙材使用のため使用後は容易に溶解再生させ、何回もリサイクル使用を可能にするのであり、従来の木材品を焼却処分したりすることがないため、公害や環境問題の点でも優れたものとなるのである。
【考案を実施するための最良の形態】
【００１０】
本考案の実施の形態について、以下図面を参照して説明する。
図１は一定大きさの母材をなす板紙部材１から本考案の組合せ保護枠を構成するための単一部材を型取り裁断する状態例を示すものであって、本例では４枚の凹字状単一部材ａと、長さ寸法の異なる短冊状の単一部材ｂ，ｃが得られるようにするのであり、このさいｃの短冊状部材は凹字状単一部材ａの内部から得られるようにする。
【００１１】
図２は上記により得られる凹字状単一部材ａや同短冊状部材ｂ，ｃを適宜重ね合わせ状態になし、本考案に係る保護枠を構成するための合紙板を作成する状態を示すものであり、即ちＡは２枚の凹字状単一部材ａ，ａ間に単一短冊状部材ｂを挟むように重ね合わせて貼着し、上下の凹字状単一部材ａに於ける両側端の突出した鍔片間に一定の間隙ｐが形成されるようになすのであり、Ｂは斯くして作成された凹状合紙板２である。
【００１２】
図３Ａ，Ｂは上記に於ける大、小の短冊状の単一部材ｂ，ｃを使用して短冊状合紙板３を作成する状態を示すものであって、中央に長さの大なる単一部材ｂを使用することにより、出来上がりは両端縁箇所に一定長の突出片ｎが形成されるものとなる。
【００１３】
図４は上記構成の凹状合紙板２と短冊状合紙板３を組合せて方形枠を作成する例の説明図であって、図４Ａで見られる通り凹字状の合紙板２の両側端縁箇所で、一定長さ寸法に突出形成した鍔片の間隙ｐに対し短冊状合紙板３の中央部突出片ｎを嵌入させるのであり、嵌入にさいしては糊剤により一体的に止着されるようになす。図４Ｂは斯くして出来上った方形縁枠４の製品斜視図である。
【００１４】
図５は上記の如くなして構成した方形縁枠４の２個で液晶パネル５の周縁を保護した状態図であり、実際の運搬取扱いでは図示一点鎖線の如く紐掛け６がなされて行われる。
【００１５】
本考案は以上の如く構成するのであり、このさい組合せ使用する凹状合紙板２と短冊状合紙板３とは、共に一定大きさの母材から凡そロスのないように効率良く型取り裁断することができるのであり、またこれらの重ね合わせ貼着を手作業は勿論のこと、機械的作業でも容易に行えることから、安価且つ大量生産可能になる。
【００１６】
本考案で一対の凹状合紙板２を使用することは、保護せんとする液晶パネルやプラズマテレビなどディスプレイ平面板の重要な隅角部（四隅）を、とりわけ安定的に当接保護することができるのであり、即ちこのことはストレートな直線部分と、これと一体的に直角方向へ突出した鍔片とにより同一平面で保持できることであり、具体的には該部を接ぎ合わせしたりしてあるものに比べ、接ぎ目や接着剤などのはみ出しなどにより生ずる悪影響を皆無ならしめることができるものとなる。
【００１７】
上記実施例では１枚の母材から１個分のパネル板の保護枠を作成するものについて説明したが、一般的には凹字状の合紙板２のみを使用対象物たる液晶パネルやプラズマテレビなどディスプレイ平面板の規格に沿って幾種類か作成しておくのであり、他のストレートな短冊状合紙板３は上記に於ける各種寸法の型取り裁断時に生ずるロス部分からの有効利用で作成することが可能である。而して、その長さ寸法は適宜異ならしめたものを作成し且つ使用することで、方形縁枠に限らず随時縦・横長さの異なる長方形枠などの作成が容易に行えるものとなるのであって、汎用性ある対応が迅速且つ適確に行えるものとなり、作業性能の向上に寄与すること大ならしめるものである。
【００１８】
また、上記実施例では凹状合紙板２，短冊状合紙板３の何れも単一部材の夫々れを一枚使用したものについて図示説明したが、適宜複数枚使用することにより、各種の要望に対応できる必要強度の得られる肉厚寸法のものが得られるようにできるのであり、これらを含め本考案の実施の範囲内とする。
【００１９】
なお、本考案では全て紙材を使用した構成のため、使用済み後の再生処理も容易であって省資源とコストの低減化に寄与すること大ならしめるものである。
【図面の簡単な説明】
【００２０】
【図１】本考案で使用する組合せ保護枠を型取り裁断する一例の説明図である。
【図２】凹状合紙板を作成する説明図である。
【図３】短冊状合紙板を作成する説明図である。
【図４】上記凹状合紙板と短冊状合紙板を組合せて方形の保護枠を作成する説明図である。
【図５】上記構成の保護枠の使用状態説明図である。
【符号の説明】
【００２１】
１      板紙部材
ａ      凹字状単一部材
ｂ，ｃ    短冊状単一部材
２      凹状合紙板
３      短冊状合紙板
４      方形縁枠
５      液晶パネル
６      紐掛け
ｎ      突出片
【図１】
0003117311.tif 000003
【図２】
0003117311.tif 000004
【図３】
0003117311.tif 000005
【図４】
0003117311.tif 000006
【図５】
0003117311.tif 000007